(57)【要約】  本発明は、分析物を検出するための方法であって、ａ）前記分析物、捕捉剤および固体表面を接触させて、固体表面に付着した捕捉複合体を形成し、ｂ）前記捕捉複合体中に含まれる前記分析物内および／または前記捕捉剤内の少なくとも１つの共有結合を切断し、そしてそれによって、前記分析物またはその断片を前記捕捉複合体から放出させ、そしてｃ）前記分析物の前記の少なくとも１つの断片を検出し、そしてそれによって前記分析物を検出する工程を含む、前記方法に関する。本発明はさらに、ｉ）分析物に結合する、１つの態様において特異的に結合する、捕捉剤；およびｉｉ）前記分析物内および／または前記捕捉剤内の少なくとも１つの共有結合を切断する剤を含むキットに；そして分析物を検出するため、前記分析物の断片を放出させるためのプロテアーゼの使用であって、前記分析物が捕捉剤を通じて固体表面に付着している、前記使用に関する。【特許請求の範囲】
【請求項１】
分析物を検出するための方法であって
ａ）前記分析物、捕捉剤および固体表面を接触させて、固体表面に付着した捕捉複合体を形成し、
ｂ）前記捕捉複合体中に含まれる前記分析物内および／または前記捕捉剤内の少なくとも１つの共有結合を切断し、そしてそれによって、前記分析物またはその断片を前記捕捉複合体から放出させ、そして
ｃ）前記分析物またはその断片を検出し、そしてそれによって前記分析物を検出する
工程を含み、
前記捕捉剤が前記分析物と接触すると同時に、前記捕捉剤が前記固体表面に付着し、そして
前記方法が、前記捕捉剤に結合する前記分析物の脱グリコシル化の少なくとも１つのさらなる工程を含む、
前記方法。
【請求項２】
前記分析物がポリペプチド、１つの態様において前立腺特異的抗原（ＰＳＡ）である、請求項１の方法。
【請求項３】
前記分析物が試料中、１つの態様において被験体の試料中に含まれる、請求項１または２の方法。
【請求項４】
前記捕捉剤が、前記分析物に特異的に結合する剤である、請求項１〜３のいずれか一項の方法。
【請求項５】
前記捕捉剤が抗体またはその誘導体である、請求項１〜４のいずれか一項の方法。
【請求項６】
少なくとも１つの共有結合の前記切断が、前記分析物内の少なくとも１つの共有結合の酵素的加水分解を含む、請求項１〜５のいずれか一項の方法。
【請求項７】
前記分析物内の少なくとも１つの共有結合の前記切断が、前記分析物を、少なくとも１つのプロテアーゼ、１つの態様においてエンドペプチダーゼ、さらなる態様においてトリプシンと接触させることを含む、請求項１〜６のいずれか一項の方法。
【請求項８】
前記分析物の脱グリコシル化の前記の少なくとも１つのさらなる工程が、前記分析物を、エンドグリコシダーゼ、１つの態様においてエンドＦ３と接触させることを含む、請求項１〜７のいずれか一項の方法。
【請求項９】
前記検出が、質量分析（ＭＳ）、１つの態様において液体クロマトグラフィ（ＬＣ）カップリング質量分析（ＬＣ−ＭＳ）によって、前記分析物またはその断片を検出することを含む、請求項１〜８のいずれか一項の方法。
【請求項１０】
ｉ）分析物に結合する、１つの態様において特異的に結合する、捕捉剤；およびｉｉ）前記分析物内および／または前記捕捉剤内の少なくとも１つの共有結合を切断する剤を含むキットであって、
前記分析物内および／または前記捕捉剤内の少なくとも１つの共有結合を切断する前記剤がプロテアーゼであり、そして
前記キットが、少なくとも１つのグリコシダーゼおよび少なくとも１つの固体支持体をさらに含む、
前記キット。
【請求項１１】
前記捕捉剤が抗体またはその断片である、請求項１０のキット。
【請求項１２】
前記分析物内および／または前記捕捉剤内の少なくとも１つの共有結合を切断する前記剤が、エンドペプチドダーゼであり、さらなる態様においてトリプシンである、請求項１０または１１のキット。
【請求項１３】
少なくとも１つのエンドグリコシダーゼ、さらなる態様においてエンドＦ３をさらに含む、請求項１０〜１２のいずれか一項のキット。
【請求項１４】
分析物を検出するため、前記分析物の断片を放出させるためのプロテアーゼの使用であって、前記分析物が捕捉剤を通じて固体表面に結合しており、そして前記分析物を、前記プロテアーゼと接触させる前に、エンドグリコシダーゼと接触させた、前記使用。
【請求項１５】
請求項１〜９のいずれか一項の工程、および決定した分析物の量を参照と比較し、それによって疾患を診断するさらなる工程を含む、疾患を診断するための方法。
【請求項１６】
前記分析物がＰＳＡであり、そして前記疾患が前立腺癌である、請求項１５の方法。
【発明の詳細な説明】
【技術分野】
【０００１】
本発明は、分析物を検出するための方法であって、ａ）前記分析物、捕捉剤および固体表面を接触させて、固体表面に付着した捕捉複合体を形成し、ｂ）前記捕捉複合体中に含まれる前記分析物内および／または前記捕捉剤内の少なくとも１つの共有結合を切断し、そしてそれによって、前記分析物またはその断片を前記捕捉複合体から放出させ、そしてｃ）前記分析物の前記の少なくとも１つの断片を検出し、そしてそれによって前記分析物を検出する工程を含む、前記方法に関する。本発明はさらに、ｉ）分析物に結合する、１つの態様において特異的に結合する、捕捉剤；およびｉｉ）前記分析物内および／または前記捕捉剤内の少なくとも１つの共有結合を切断する剤を含むキットに；そして分析物を検出するため、前記分析物の断片を放出させるためのプロテアーゼの使用であって、前記分析物が捕捉剤を通じて固体表面に付着している、前記使用に関する。
【発明の概要】
【０００２】
分析物に特異的に結合する剤、特に抗体は、長年、分析物の濃縮に用いられてきている。同族（ｃｏｇｎａｔｅ）エピトープに対する抗体の典型的には高いアフィニティは、通常、好適である、これは分析物が少量であっても検出が可能になるためである。しかし、分析物を分析物／抗体複合体から回収しようと試みる際には、非常に過酷な条件を適用しなければならないため、高アフィニティは不都合になる。さらに、適用しなければならない条件および緩衝剤は、通常、下流適用とは適合せず、緩衝剤交換、沈降等のさらなる工程が必要となり、これはしばしば、分析物の回収を有意に減少させる。特に、質量分析（ＭＳ）分野における、こうした方法に関連する例示的な適用は、例えばＫｒａｓｔｉｎｓら（２０１３），  Ｃｌｉｎｉｃａｌ  ｂｉｏｃｈｅｍｉｓｔｒｙ  ４６：  ３９９−４１０；  Ｌｏｐｅｚら（２０１０），  Ｃｌｉｎｉｃａｌ  ｃｈｅｍｉｓｔｒｙ  ５６：  ２８１−２９０；  Ｐｅｔｅｒｍａｎら（２０１４），  Ｐｒｏｔｅｏｍｉｃｓ  １４：  １４４５−１４５６；  Ｐｒａｋａｓｈら（２０１２），  Ｊｏｕｒｎａｌ  ｏｆ  ｐｒｏｔｅｏｍｅ  ｒｅｓｅａｒｃｈ  １１：  ３９８６−３９９５；  Ｔｒｅｎｃｈｅｖｓｋａら（２０１５），  Ｍｅｔｈｏｄｓ  （Ｓａｎ  Ｄｉｅｇｏ，  Ｃａｌｉｆ）  ８１：  ８６−９２；  Ｙａｓｓｉｎｅら（２０１３），  Ｐｒｏｔｅｏｍｉｃｓ  Ｃｌｉｎｉｃａｌ  ａｐｐｌｉｃａｔｉｏｎｓ  ７：  ５２８−５４０；  Ｐｏｐｐら（２０１５），  Ｂｉｏｃｈｉｍｉｃａ  ｅｔ  ｂｉｏｐｈｙｓｉｃａ  ａｃｔａ  １８５４：  ５４７−５５８；  Ｚｈａｏら（２０１１），  Ｊｏｕｒｎａｌ  ｏｆ  Ｖｉｓｕａｌｉｚｅｄ  Ｅｘｐｅｒｉｍｅｎｔｓ  ５３：  ｅ２８１２  １−５；およびＫｌｅｅら（２０１４），  Ａｍ  Ｊ  Ｃｌｉｎ  Ｐａｔｈｏｌ  １４１：５２７）に提供される。
【０００３】
さらに、ポリペプチド分析の分野において、タンパク質のグリコシル化は、分析、特にこうしたグリコシル化タンパク質の酵素処理、例えばＭＳ法において必要とされうるようなタンパク質分解を必要とする分析をひどく妨害しうることが見出された。この問題を解決するため、ＣＡ２５２７６５０は、グリコシル化ポリペプチドの同定のための段階的方法を提唱した。該方法の工程は、グリコシル化ポリペプチドを含有する生物学的試料を、ペプチド消化を開始するための少なくとも１つのプロテアーゼで処理した後、脱グリコシル化し、そして続いて少なくとも１つのプロテアーゼで再消化して、脱グリコシル化ポリペプチド断片を生じる工程を伴う。次いで、質量分析を用いて、脱グリコシル化ポリペプチド断片を配列決定し、そして既知の配列のデータベースとの配列比較によって同定する。
【０００４】
にもかかわらず、例えば質量分析のような下流適用のため、免疫学的方法によって得られたポリペプチドを提供するための効率的な方法に関する必要性がなおある。この問題は、独立請求項の特徴を持つ、本発明の手段および方法によって解決される。単離された方式で、または任意の恣意的な組み合わせで、達成可能な、好ましい態様は、従属請求項に列挙される。
【０００５】
したがって、本発明は、分析物を検出するための方法であって
ａ）前記分析物、捕捉剤および固体表面を接触させて、固体表面に付着した捕捉複合体を形成し、
ｂ）前記捕捉複合体中に含まれる前記分析物内および／または前記捕捉剤内の少なくとも１つの共有結合を切断し、そしてそれによって、前記分析物またはその断片を前記捕捉複合体から放出させ、そして
ｃ）前記分析物またはその断片を検出し、そしてそれによって前記分析物を検出する
工程を含む、前記方法に関する。
【図面の簡単な説明】
【０００６】
【図１−１】実施例に記載するような、溶液中の脱グリコシル化およびプロテアーゼ処理によって産生されるＰＳＡの断片の検出を示す、トータルイオンカレントＭＳスペクトル。８．１５分の溶出時間を有する第一の断片は生成されず；５．８０分の溶出時間を有する第二の断片は、脱グリコシル化とは独立に、タンパク質分解のみによって生成される。Ａ）再構築トータルイオンカレントクロマトグラム（ＲＴＩＣＣ）；Ｂ）フコシル化ＰＳＡグリコペプチド（Ｎ（＋ＧｌｃＮＡｃ＋Ｆｕｃ）Ｋ）の抽出イオンカレント（ＸＩＣ）；Ｃ）全長ＰＳＡペプチド（ＬＳＥＰＡＥＬＴＤＡＶＫ、配列番号１）のＸＩＣ；ｘ軸：分での溶出時間、ｙ軸：秒あたりのカウント（ｃｐｓ）での強度。
【図１−２】実施例に記載するような、溶液中の脱グリコシル化およびプロテアーゼ処理によって産生されるＰＳＡの断片の検出を示す、トータルイオンカレントＭＳスペクトル。８．１５分の溶出時間を有する第一の断片は生成されず；５．８０分の溶出時間を有する第二の断片は、脱グリコシル化とは独立に、タンパク質分解のみによって生成される。Ａ）再構築トータルイオンカレントクロマトグラム（ＲＴＩＣＣ）；Ｂ）フコシル化ＰＳＡグリコペプチド（Ｎ（＋ＧｌｃＮＡｃ＋Ｆｕｃ）Ｋ）の抽出イオンカレント（ＸＩＣ）；Ｃ）全長ＰＳＡペプチド（ＬＳＥＰＡＥＬＴＤＡＶＫ、配列番号１）のＸＩＣ；ｘ軸：分での溶出時間、ｙ軸：秒あたりのカウント（ｃｐｓ）での強度。
【図２−１】実施例に示すような、ピペットチップ上での直接の脱グリコシル化およびプロテアーゼ処理によって産生されるＰＳＡの断片の検出を示す、トータルイオンカレントＭＳスペクトル。第一および第二の断片の両方が生成される。Ａ）〜Ｃ）は図１と同様；ｘ軸：分での溶出時間、ｙ軸：ｃｐｓでの強度。
【図２−２】実施例に示すような、ピペットチップ上での直接の脱グリコシル化およびプロテアーゼ処理によって産生されるＰＳＡの断片の検出を示す、トータルイオンカレントＭＳスペクトル。第一および第二の断片の両方が生成される。Ａ）〜Ｃ）は図１と同様；ｘ軸：分での溶出時間、ｙ軸：ｃｐｓでの強度。
【発明を実施するための形態】
【０００７】
以下で用いるような用語「有する（ｈａｖｅ）」、「含む（ｃｏｍｐｒｉｓｅ）」または「含まれる（ｉｎｃｌｕｄｅ）」あるいはその任意の恣意的な文法的変形は、非排他的な方式で用いられる。したがって、これらの用語は、これらの用語によって導入される特徴に加えて、この文脈で記載される実体に、さらなる特徴はまったく存在しない状況、および１またはそれより多いさらなる特徴が存在する状況の両方を指すことも可能である。例えば、表現「ＡはＢを有する」、「ＡはＢを含む」および「ＡにはＢが含まれる」は、Ｂに加えて、Ａに他の要素がまったく存在しない状況（すなわちＡはもっぱらそして排他的にＢからなる状況）、ならびにＢに加えて実体Ａに１またはそれより多いさらなる要素、例えば要素Ｃ、要素ＣおよびＤまたはさらにさらなる要素が存在する状況の両方を指してもよい。
【０００８】
さらに、以下で用いるような用語「好ましくは」、「より好ましくは」、「最も好ましくは」、「具体的に」、「より具体的に」、「特に」、「より明確に」または類似の用語は、さらなる可能性を制限することなく、任意の特徴と組み合わせて用いられる。したがって、これらの用語によって導入される特徴は、任意の特徴であり、そしていかなる意味でも、請求項の範囲を制限するとは意図されない。本発明は、当業者が認識するであろうように、別の特徴を用いることによって実行可能である。同様に、「本発明の態様において」または類似の表現によって導入される特徴は、本発明のさらなる態様に関するいかなる制限も伴わず、本発明の範囲に関するいかなる制限も伴わず、そしてこうした方式で導入される特徴と、本発明の他の任意のまたは任意でない特徴とを組み合わせる可能性に関するいかなる制限も伴わずに、任意の特徴であると意図される。さらに、別に示されていない限り、用語「約」は、関連分野において、一般的に認められる技術的精度を持つ、示す値に関し、１つの態様において示す値±２０％、さらなる態様において±１０％、さらなる態様において±５％に関する。
【０００９】
本発明の分析物を検出するための方法は、１つの態様において、ｉｎ  ｖｉｔｒｏ法である。さらに、明白に上に言及するものに加えて、工程を含むことも可能である。例えば、さらなる工程は、例えば、工程ａ）のため、分析物を含む試料を得るか、または工程ｂ）の後に分析物の少なくとも１つの断片を構造的に修飾する、例えば誘導体化する工程に関することも可能である。さらに、前記工程の１またはそれより多くは、自動化装置によって実行されてもよい。
【００１０】
用語「分析物」は、本明細書において、捕捉剤によって結合される、１つの態様において特異的に結合されることが可能であり、そして少なくとも１つの切断可能な結合を含む、化学的化合物を指す。１つの態様において、前記切断可能結合は、酵素によって切断可能な結合である。１つの態様において、前記切断可能結合の切断は、分析物が、前記分析物に関する捕捉剤のアフィニティよりも、少なくとも１０倍、さらなる態様において少なくとも１００倍低いアフィニティで、前記捕捉剤によって結合されるようにする。さらなる態様において、前記切断可能結合の前記切断は、前記分析物から、前記分析物の少なくとも１つの断片が放出されるようにし；特に、捕捉複合体解離の半減時間を、２分未満、１つの態様において１分未満、さらなる態様において３０ｓ未満、さらなる態様において１０ｓ未満、さらなる態様において１ｓ未満の値まで、減少させるようにする。さらなる態様において、分析物は、被験体の代謝によって産生されるか、または被験体の代謝において消費される化合物である。１つの態様において、該用語は、特定の分析物の少なくとも１つの分子から、前記の特定の分析物の複数の分子までに関する。本発明にしたがった分析物は、有機または無機化学的化合物のすべての種類を含み、これには、生物学的材料、例えば生物によって含まれるものが含まれる。１つの態様において、分析物は小分子である。さらなる態様において、分析物は巨大分子、１つの態様において生物学的巨大分子、さらなる態様においてポリヌクレオチドまたはポリペプチドである。したがって、１つの態様において、分析物は、少なくとも２０００ｕ（２０００Ｄａ；１ｕ＝１．６６ｘ１０−２７ｋｇ）、さらなる態様において少なくとも５０００ｕ、さらなる態様において少なくとも１００００ｕの分子量を持つ化学的化合物である。１つの態様において、分析物は２ｋＤａ〜５００ｋＤａ、１つの態様において５ｋＤａ〜２５０ｋＤａの分子量を持つ化学的化合物である。
【００１１】
１つの態様において、分析物はポリペプチドである。当業者に知られるように、ポリペプチド、特に天然ポリペプチドは、共有ペプチド結合によって連結されたアミノ酸からなる。当業者にやはり知られるように、アミノ酸側鎖を、例えばアセチル化、リン酸化、および／またはグリコシル化によって、特に真核細胞において、さらに修飾してもよい。したがって、分析物はまた、修飾ポリペプチド、特に翻訳後修飾ポリペプチド、例えばグリコシル化ポリペプチドであってもよい。しかし、本発明によって、分析物が非天然存在側鎖で修飾されているポリペプチド、例えばＰＥＧ化ポリペプチドであることもまた想定される。１つの態様において、分析物はＰＳＡである。１つの態様において、分析物は、ヒトＰＳＡ（Ｇｅｎｂａｎｋ寄託番号ＮＰ＿００１６３９．１  ＧＩ：４５０２１７３）あるいは１またはそれより多いそのアイソフォーム、および／またはその成熟型の１つまたはすべてである。
【００１２】
用語「共有結合」は、当業者に理解される。１つの態様において、本発明の共有結合は、切断可能、１つの態様において酵素的に切断可能である。１つの態様において、本発明の共有結合は、加水分解可能、さらなる態様において酵素的に加水分解可能である。１つの態様において、共有結合は、少なくとも１つの炭素原子を伴う。さらなる態様において、共有結合は、Ｃ−ＯまたはＣ−Ｎ結合である。したがって、１つの態様において、本発明の共有結合は、エステル結合、グリコシド結合、またはアミド結合、特にペプチド結合である。１つの態様において、本発明の共有結合はペプチド結合である。本明細書において、化学分子の「主鎖共有結合」は、分子内の共有結合のありうる最長の鎖を形成する共有結合である。ポリペプチドにおいて、主鎖共有結合は、ポリペプチド内のペプチド結合を形成する結合である。それに応じて、「非主鎖共有結合」は、主鎖共有結合から分岐した共有結合であるか、または共有結合の分岐鎖に含まれる。したがって、ポリペプチドにおいて、アミノ酸側鎖内、またはその修飾内、例えばグリコシル化側鎖中の共有結合は、非主鎖共有結合である。
【００１３】
１つの態様において、分析物はポリペプチドであり、そして前記分析物内の少なくとも１つの共有結合の切断は、前記分析物内の少なくとも１つのペプチド結合の加水分解、１つの態様において酵素的加水分解を含む。１つの態様において、前記分析物内の少なくとも１つの共有結合の切断は、前記分析物を少なくとも１つのプロテアーゼと接触させることを含む。１つの態様において、プロテアーゼは、基質特異性が既知であるプロテアーゼである。さらなる態様において、プロテアーゼはエンドペプチドダーゼであり、さらなる態様において、プロテアーゼはキモトリプシン、ペプシン、エラスターゼ、サーモリシン、プロテイナーゼＫ、ＬｙｓＣ、ＧｌｕＣ、トリプシンまたはエンドプロテイナーゼＡｒｇＣ（クロストリパイン）であり、さらなる態様においてトリプシンまたはエンドプロテイナーゼＡｒｇＣ（クロストリパイン）であり、さらに好ましい態様において、プロテアーゼはトリプシンである。
【００１４】
当業者に理解されるであろうように、少なくとも１つの共有結合を切断する、１より多い前述の酵素と、特に少なくとも１つの共有結合を切断する少なくとも２つ、少なくとも３つ、または少なくとも４つの酵素と、分析物を接触させてもよい。１つの態様において、少なくとも１つの共有結合を切断する１より多い酵素と、分析物の接触を、連続して実行し；さらなる態様において、少なくとも１つの共有結合を切断する１より多い酵素と、分析物の接触を、同時に、すなわち少なくとも１つの共有結合を切断する、少なくとも２つまたはそれより多い前記酵素と、分析物を、同時に接触させることによって、実行する。当業者は、こうした場合に、どのように加水分解条件を選択するかを知っている。しかし、当業者は、前記酵素のすべての組み合わせが適合するわけではないことを知っており、これは例えば反応温度、ｐＨ、補因子、またはイオンに関する必要条件が異なるためであり、そして不適合の場合、連続処理を考慮するであろう。したがって、例えば、１つの態様において、本明細書に明記するような少なくとも１つのプロテアーゼおよび少なくとも１つのグリコシダーゼと分析物の接触は、連続接触によって達成され；さらなる態様において、本明細書に明記するような少なくとも１つのプロテアーゼおよび少なくとも１つのグリコシダーゼと分析物の接触は、同時接触によって達成される。また、例えば、１つの態様において、本明細書に明記するような１より多いプロテアーゼと分析物の接触は、それぞれのプロテアーゼとの連続接触によって達成され；さらなる態様において、本明細書に明記するような１より多いプロテアーゼと分析物の接触は、少なくとも２つのプロテアーゼとの同時接触によって達成される。
【００１５】
本発明にしたがって、前記分析物内および／または前記捕捉剤内の少なくとも１つの共有結合の切断は、捕捉複合体から、分析物またはその少なくとも１つの断片を放出させる。本明細書において、用語「放出」は、分析物、その断片、または捕捉剤を、捕捉複合体からの前記分析物またはその断片の解離を引き起こす状態にすることに関する。したがって、捕捉剤が固体表面に付着している場合、分析物またはその断片の放出は、前記分析物またはその断片の固体表面からの溶出を可能にする。したがって、１つの態様において、少なくとも１つの共有結合の切断後、分析物またはその断片および残りの捕捉複合体の間の解離定数は、少なくとも１０−４ｍｏｌ／ｌ、１つの態様において少なくとも１０−３ｍｏｌ／ｌ、さらなる態様において少なくとも１０−２ｍｏｌ／ｌ、さらなる態様において少なくとも０．１ｍｏｌ／ｌである。１つの態様において、前記分析物内および／または前記捕捉剤内の少なくとも２つの共有結合が切断され、例えばポリペプチドから内部ペプチドを放出させる。さらなる態様において、多数の共有結合が切断され、ここで前記の多数は、１つの態様において少なくとも５つ、さらなる態様において少なくとも１０、さらなる態様において少なくとも２５の共有結合である。
【００１６】
１つの態様において、前記分析物から放出される少なくとも１つの断片は、前記分析物の特定の断片であり、用語「特定の断片」は、前記の特定の断片によって、前記分析物の同定を可能にする断片に関する。当業者は、その断片の１つによる分析物の同定が、選択する検出法に応じることを理解する。例えば、特定の断片は、ＬＣにおいて特定の溶出時間を有する断片であってもよく、そして／またはＭＳにおいて特定のｍ／ｚ比を提供する断片であってもよく、または同様のものであってもよい。
【００１７】
１つの態様において、分析物は、試料中に、１つの態様において被験体の試料中に含まれる。用語「試料」は、本明細書において、分析物を含むと推測されるかまたは知られる任意の試料を指す。本発明にしたがって、試料が、例えば食品試料、細胞培養上清試料、あるいは被験体の組織または体液試料であってもよいことが想定される。１つの態様において、試料は、体液試料、分離細胞試料、組織または臓器由来の試料、あるいは被験体の外部または内部体表面から得られる洗浄／リンス液の試料である。１つの態様において、試料は、血液、血漿、血清、尿、唾液、涙液のような体液である。１つの態様において、試料は糞便試料である。試料は、周知の技術によって得られることが可能であり、そして試料には、１つの態様において、掻把、スワブまたは生検が含まれる。試料は、ブラシ、（コットン）スワブ、スパーテル、リンス／洗浄液、パンチ生検デバイス、針での腔の穿刺、または外科的器具使用によって得られてもよい。分離細胞および／または細胞不含液は、濾過、遠心分離、または細胞ソーティングなどの分離技術によって、細胞培養上清、体液、あるいは組織または臓器から得られうる。分離細胞は、１つの態様において、当業者に周知の方法の１つによって、本発明において試料として用いられる前に、溶解される。本発明の方法を実施するために、試料をさらにプロセシングしてもよいことが理解されるものとする。１つの態様において、試料は血液由来である。１つの態様において、試料は血液またはその分画の試料であり、さらなる態様において、血液、血清または血漿であり、１つの態様において、血清または血漿である。
【００１８】
用語「被験体」は、本明細書において、動物、１つの態様において哺乳動物、例えばマウス、ラット、ヒツジ、イヌ、ネコ、ウマ、サル、またはウシ、そして１つの態様においてヒトに関する。
【００１９】
用語「接触」は、本発明の方法の背景において用いた際、当業者によって理解される。１つの態様において、該用語は、化合物、特に分析物を、さらなる化合物、例えば捕捉剤と物理的に接触させ、そしてそれによって、化合物およびさらなる化合物が相互作用することを可能にすることに関する。したがって、用語「反応混合物」は、第一の化合物と第二の化合物を、例えば捕捉剤と試料を接触させ、前記の第一および第二の化合物が反応することを可能にする、任意の混合物に関する。
【００２０】
本明細書において、用語「捕捉複合体」は、本明細書の別の箇所に明記するような少なくとも１つの捕捉剤および分析物を含み、１つの態様において本明細書の別の箇所に明記するような解離定数を有する、任意の、１つの態様において非共有の、複合体に関する。したがって、１つの態様において、分析物は、本明細書において以下に明記するように、捕捉複合体において、捕捉剤に結合する。１つの態様において、捕捉複合体は、特異的捕捉複合体であり、すなわち捕捉剤は、前記捕捉複合体において、分析物に特異的に結合する。
【００２１】
用語、第二の化合物への第一の化合物の「結合」は、当業者に理解される。１つの態様において、結合は、第二の結合パートナーの有意な浸出を伴わずに、固体表面への第一の結合パートナーの結合を可能にするために、十分に高い結合パートナーのアフィニティを伴う相互作用に関する。１つの態様において、結合は、１０−５ｍｏｌ／ｌ未満、１つの態様において１０−６ｍｏｌ／ｌ未満、さらなる態様において１０−７ｍｏｌ／ｌ未満、さらなる態様において１０−８ｍｏｌ／ｌ未満、さらなる態様において１０−９ｍｏｌ／ｌ未満の解離定数での結合である。したがって、１つの態様において、少なくとも１つの捕捉剤および分析物を含む捕捉複合体は、１０−５ｍｏｌ／ｌ未満、１つの態様において１０−６ｍｏｌ／ｌ未満、さらなる態様において１０−７ｍｏｌ／ｌ未満、さらなる態様において１０−８ｍｏｌ／ｌ未満、さらなる態様において１０−９ｍｏｌ／ｌ未満の解離定数を有する。解離定数を決定する方法は、当業者に周知であり、そしてこれには、例えば分光滴定法、表面プラズモン共鳴測定、平衡透析等が含まれる。結合は、当業者に知られるすべての種類の化学的相互作用によって仲介されうる。１つの態様において、前記相互作用は、非共有結合である。本明細書に用いるように、用語「結合」には、１つの態様において、間接的結合、すなわち、第二の化合物を通じた第三の化合物への第一の化合物の結合が含まれ、ここで前記の第一および第三の化合物は、１つの態様において、それぞれ、第二の化合物とのみ相互作用する。１つの態様において、結合は直接結合であり、すなわち化合物の直接相互作用である。
【００２２】
１つの態様において、分析物は、捕捉剤に特異的に結合する。当業者が認識するであろうように、用語「特異的に結合すること」またはその文法的変形は、試料中に存在する他の化合物、典型的には生体分子が、本発明のリガンド、特に捕捉剤に有意には結合しないことを示すために用いられる。１つの態様において、捕捉剤の、分析物以外の化合物への結合のレベルは、それぞれ、分析物へのアフィニティの最大１０％またはそれ未満、５％またはそれ未満、２％またはそれ未満、あるいは１％またはそれ未満の結合アフィニティを生じる。
【００２３】
本明細書において、用語「捕捉剤」は、本発明の分析物への化学分子の結合に関する。したがって、１つの態様において、捕捉剤は、分析物に特異的なアフィニティに基づく結合剤である。１つの態様において、捕捉剤は、有機分子またはその複合体、さらなる態様において生物学的巨大分子、特にポリペプチドまたはその複合体である。１つの態様において、捕捉剤は、抗体、アプタマー、アンチカリン、または受容体、あるいは上に明記するような活性を有する前述の化合物の１つの断片である。１つの態様において、捕捉剤はモノクローナル抗体である。
【００２４】
捕捉剤を固体表面に付着させるかまたは付着するよう適合させる。本明細書において、用語「固体表面」は、本発明の捕捉剤が結合するために適応した、そして例えば物理的手段によって、試料から分離されるように適応した、任意の適切な固体表面に関する。１つの態様において、前記固体表面は、ビーズ、１つの態様においてマイクロビーズ、例えば磁気または常磁性マイクロビーズの表面である。１つの態様において、前記表面は、例えば捕捉化合物の下位構造に結合する分子を、共有または非共有的に付着させることによって、捕捉化合物の結合を改善するように適応されている。捕捉化合物の下位構造に結合する典型的な分子は、例えば抗体、ストレプトアビジン、錯体化ニッケルイオン等である。さらなる態様において、固体表面は、共有および／または非共有結合によって、例えば疎水性相互作用によって、前記捕捉化合物に結合する。したがって、１つの態様において、前記固体表面は、マルチクラスタープレート表面である。１つの態様において、マルチクラスタープレートの表面を前処理して、捕捉化合物の結合のため、アフィニティおよび／または結合能を増加させる。適切な前処理は、当該技術分野に知られる。さらなる態様において、固体表面は、適切な表面を提供する、例えばピペットチップの多孔性充填である。
【００２５】
当業者に理解されるであろうように、分析物と捕捉剤を接触させる前に、それと同時に、またはその後に、前記捕捉剤を固体表面に付着させてもよい。１つの態様において、分析物と捕捉剤を接触させた後に、例えば前記分析物および前記捕捉剤を混合し、その後、固体表面に結合させることによって、前記捕捉剤を固体表面に付着させる。当業者が理解するであろうように、試料と捕捉剤の接触および固体表面への前記捕捉剤の結合は、存在する場合、前記試料中に含まれる他の化合物から、前記捕捉剤が結合した分析物を特異的に分離することを可能にする。捕捉剤、例えば生物学的分子、典型的にはポリペプチドを、固体表面に付着させる方法は、当該技術分野に周知であり、そしてこれには、例えば疎水性相互作用、ビオチン化および固定されたストレプトアビジンを通じた結合、共有結合、抗体−抗原相互作用等、またはこれらの相互作用の組み合わせが含まれる。
【００２６】
１つの態様において、捕捉剤はまた捕捉複合体であってもよい。別の態様において、捕捉剤は抗体、すなわち捕捉抗体、特にモノクローナル抗体である。１つの態様において、捕捉抗体は、ビオチンに共有カップリングする。したがって、１つの態様において、捕捉剤は固定捕捉剤、１つの態様において固体表面上に固定された捕捉剤である。さらなる態様において、捕捉剤は、共有および／または疎水性結合を通じて固体表面に固定され；さらなる態様において、捕捉剤は、高アフィニティ相互作用を通じて、１つの態様においてストレプトアビジン／ビオチン相互作用を通じて、固体表面上に固定される。
【００２７】
用語「抗体」には、本明細書において、モノクローナル抗体、少なくとも２つのインタクトな抗体から形成される多重特異性抗体（例えば二重特異性抗体）、および本明細書の別の箇所に明記するような所望の結合活性を示す限り、抗体断片が含まれる。１つの態様において、抗体はモノクローナル抗体である。１つの態様において、抗体は全長抗体または抗体断片である。
【００２８】
その重鎖の定常ドメインのアミノ酸配列に応じて、抗体（免疫グロブリン）は、異なるクラスに割り当て可能である。免疫グロブリンの５つの主要なクラス：ＩｇＡ、ＩｇＤ、ＩｇＥ、ＩｇＧ、およびＩｇＭがあり、そしてこれらのいくつかは、サブクラス（アイソタイプ）、例えばＩｇＧ１、ＩｇＧ２、ＩｇＧ３、ＩｇＧ４、ＩｇＡ１、およびＩｇＡ２にさらに分割可能である。免疫グロブリンの異なるクラスのサブユニット構造および三次元立体配置は周知であり、そして一般的に、例えば、Ａｂｂａｓら，  Ｃｅｌｌｕｌａｒ  ａｎｄ  Ｍｏｌ．  Ｉｍｍｕｎｏｌｏｇｙ，  第４版，  Ｗ．Ｂ．  Ｓａｕｎｄｅｒｓ，  Ｃｏ．  （２０００）に記載される。抗体は、抗体と１またはそれより多い他のタンパク質またはペプチドの共有または非共有会合によって形成される、より大きな融合分子の一部であってもよい。
【００２９】
用語「全長抗体」、「インタクトな抗体」、および「全抗体」は、本明細書において、交換可能に用いられ、実質的にインタクトな型の、以下に定義するような抗体断片ではない抗体を指す。該用語は、特に、Ｆｃ領域を含有する重鎖を含む抗体を指す。「抗体誘導体」は、インタクトな抗体の部分を含み、１つの態様においてその抗原結合領域を含む。したがって、抗体誘導体は抗体断片であってもよい。抗体誘導体の例には、Ｆａｂ、Ｆａｂ’、Ｆ（ａｂ’）２、およびＦｖ断片；ディアボディ；直鎖抗体；一本鎖抗体分子、ナノボディ、および抗体断片から形成される多重特異性抗体が含まれる。抗体のパパイン消化は、各々、単一の抗原結合部位を含む「Ｆａｂ」断片と称される２つの同一の抗原結合断片、およびその名称が容易に結晶化する能力を反映する、残りの「Ｆｃ」断片を生じる。ペプシン処理は、２つの抗原結合部位を有し、そしてなお抗原を架橋することが可能であるＦ（ａｂ’）２断片を生じる。「Ｆｖ」は、完全抗原結合部位を含有する、最小抗体断片である。１つの態様において、２鎖Ｆｖ種は、緊密に非共有会合した、１つの重鎖および１つの軽鎖可変ドメインの二量体からなる。一本鎖Ｆｖ（ｓｃＦｖ）種において、１つの重鎖および１つの軽鎖可変ドメインは、軽鎖および重鎖が２鎖Ｆｖ種におけるものと同様に「二量体」構造で会合可能であるように、柔軟なペプチドリンカーによって共有連結されていてもよい。この立体配置において、各可変ドメインの３つの超可変領域（ＨＶＲ）は、抗原結合部位を定義するように相互作用する。集合して、６つのＨＶＲが、抗体に、抗原結合特異性を与える。しかし、単一の可変ドメイン（または抗原に特異的な３つのＨＶＲのみを含むＦｖの半分）であってさえ、抗原を認識し、そして結合する能力を有するが、完全結合部位よりも低いアフィニティである。用語「ディアボディ」は、２つの抗原結合部位を含む抗体断片を指し、該断片は、同じポリペプチド鎖において、軽鎖可変ドメイン（ＶＬ）に連結された重鎖可変ドメイン（ＶＨ）を含む（ＶＨ−ＶＬ）。同じ鎖上の２つのドメインの間の対形成を可能にするには短すぎるリンカーを用いることによって、ドメインは、別の鎖の相補ドメインと対形成し、そして２つの抗原結合部位を生成するように強いられる。ディアボディは、二価または二重特異性であることも可能である。ディアボディは、例えばＥＰ  ０  ４０４  ０９７；  ＷＯ  １９９３／０１１６１；  Ｈｕｄｓｏｎら，  Ｎａｔ．  Ｍｅｄ．  ９  （２００３）  １２９−１３４；およびＨｏｌｌｉｎｇｅｒら，  ＰＮＡＳ  ＵＳＡ  ９０  （１９９３）  ６４４４−６４４８に、より詳細に記載される。トリアボディおよびテトラボディは、Ｈｕｄｓｏｎら，  Ｎａｔ．  Ｍｅｄ．  ９  （２００３）  １２９−１３４にもまた記載される。
【００３０】
用語「モノクローナル抗体」は、本明細書において、実質的に均質な抗体の集団から得られる抗体を指し、すなわち集団中に含まれる個々の抗体は、少量で存在しうる、ありうる突然変異、例えば天然に存在する突然変異を除いて同一である。したがって、修飾語「モノクローナル」は、別個の抗体の混合物ではない抗体の特性を示す。特定の態様において、こうしたモノクローナル抗体には、典型的には、分析物に結合するポリペプチド配列を含む抗体が含まれ、ここで分析物結合ポリペプチド配列は、複数のポリペプチド配列からの、単一の分析物結合ポリペプチド配列の選択を含むプロセスによって得られた。例えば、選択プロセスは、複数のクローン、例えばハイブリドーマクローン、ファージクローン、または組換えＤＮＡクローンのプールからの、ユニークなクローンの選択であってもよい。選択されたターゲット結合配列は、例えば、ターゲットに対するアフィニティを改善するため、ターゲット結合配列をヒト化するため、細胞培養におけるその産生を改善するため、ｉｎ  ｖｉｖｏでの免疫原性を減少させるため、多重特異性抗体を生成するため等で、さらに改変されていてもよく、そして改変されたターゲット結合配列を含む抗体もまた、本発明のモノクローナル抗体であることを理解しなければならない。異なる決定基（エピトープ）に対して向けられる異なる抗体が含まれるポリクローナル抗体調製物とは対照的に、モノクローナル抗体調製物の各モノクローナル抗体は、抗原上の単一の決定基に対して向けられる。その特異性に加えて、モノクローナル抗体調製物は、典型的にはこれらに他の免疫グロブリンが混入していない点で好適である。
【００３１】
抗体またはその誘導体は、例えば、ＨａｒｌｏｗおよびＬａｎｅ  ”Ａｎｔｉｂｏｄｉｅｓ，  Ａ  Ｌａｂｏｒａｔｏｒｙ  Ｍａｎｕａｌ”，  ＣＳＨ  Ｐｒｅｓｓ，  Ｃｏｌｄ  Ｓｐｒｉｎｇ  Ｈａｒｂｏｒ，  １９８８に記載される方法を用いることによって得られうる。モノクローナル抗体は、マウス骨髄腫細胞の、免疫哺乳動物由来の脾臓細胞への融合を含む、ＫоｅｈｌｅｒおよびＭｉｌｓｔｅｉｎ，  Ｎａｔｕｒｅ  ２５６  （１９７５），  ４９５、ならびにＧａｌｆｒｅ，  Ｍｅｔｈ．  Ｅｎｚｙｍｏｌ．  ７３  （１９８１），  ３に元来記載された技術によって、調製可能である。
【００３２】
本明細書において、用語「検出すること」は、分析物の少なくとも１つの特徴、１つの態様において構造的および／または定量的特徴を、定性的または定量的に検出することを指す。本発明記載の特徴は、１つの態様において、例えば質量分析によって、試料中の分析物の検出を促進する、分析物の構造的特徴である。１つの態様において、前記特徴は、分析物の同定および／または定量化を促進する。典型的な使用可能な特徴は、試料中に存在する他の化学的化合物から前記分析物の判別を促進する特徴である。１つの態様において、分析物の検出は、検出法の検出限界より高い濃度または量で、分析物が試料中に存在するかまたは存在しないかを確立する。所定の検出法に関して検出限界を確立する方法は当業者に知られ、そしてこれには希釈滴定実験が含まれる。さらなる態様において、検出は、分析物の量または濃度の半定量的または定量的検出である。定量的検出のため、分析物の絶対量または正確な量が検出されるか、あるいは分析物の相対量が検出される。相対量は、正確な量が検出不能であるかまたは検出すべきでない場合に検出可能である。前記の場合、分析物が存在する量が、第二の、１つの態様においてあらかじめ決定された量の前記分析物を含む第二の試料に対して、増加したかまたは減少したかを検出することも可能である。
【００３３】
１つの態様において、分析物の検出は、前記分析物内のおよび／または前記捕捉剤内の少なくとも１つの共有結合を切断することによって産生された前記分析物の少なくとも１つの断片を、さらなる化合物から分離することを含む。化学的化合物を互いに分離する、例えば個々のペプチドを分離する方法は、当該技術分野に知られ、そしてこれには、抽出、沈降、遠心分離、クロマトグラフィ等が含まれる。１つの態様において前記分析物の少なくとも１つの断片の分離は、クロマトグラフィによって、１つの態様において液体クロマトグラフィ（ＬＣ）によって、達成される。
【００３４】
当業者に理解されるであろうように、分析物を同定しそして／または定量化するために選択される方法は、選択したアッセイ形式に、そして検出しようとする分析物または断片に応じる。適切な方法は、原則として、当業者に知られる。１つの態様において、特に、分析物がポリペプチドである場合、アッセイは免疫学的アッセイであり、ここで、分析物が捕捉化合物に結合し、これを免疫学的手段によって、固体表面に付着させてもよい。１つの態様において、捕捉された分析物の量を、前記の捕捉された分析物への検出剤化合物、例えば標識二次抗体の結合によって検出する。１つの態様において、捕捉および／または検出剤化合物は抗体であり、そしてアッセイはサンドイッチアッセイである。
【００３５】
１つの態様において、質量分析（ＭＳ）を含む方法によって、分析物を同定し、そして／または定量化する。したがって、１つの態様において、分析物の検出は、質量分析（ＭＳ）による、１つの態様においてＬＣカップリング質量分析（ＬＣ−ＭＳ）による、前記分析物またはその断片の検出を含む。さらなる態様において、特に、分析物がポリペプチドである場合、検出は、多重反応監視（ＭＲＭ）−ＭＳ、１つの態様においてＭＲＭ−ＬＣ−ＭＳによって、分析物またはその断片を検出することを含む。１つの態様において、検出はＭＳを含み、そして分析物の断片を検出する。１つの態様において、分析物はＰＳＡであり、少なくとも１つの共有結合をトリプシンで切断し、そして分析物ＰＳＡの検出は、ＰＳＡの少なくとも１つのトリプシン断片の検出を含み、１つの態様において、７５６．５Ｄａ、４６３．２Ｄａ、６０９．３Ｄａ、および１２７１．７Ｄａの分子量を有する断片からなる群より選択される、少なくとも１つの断片の検出を含む。
【００３６】
本発明の方法は、上に明記するように、分析物またはその断片の検出を含む。当業者に理解されるであろうように、特にＭＳを検出に用いる場合、方法は、分析物のさらなる断片、そしてさらにさらなる分析物の検出を、さらに含んでもよい。
【００３７】
１つの態様において、分析物を検出するための方法は、前記分析物を修飾するさらなる工程を含む。本明細書において、用語、分析物の「修飾」は、分析物において構造変化を引き起こすことに関する。１つの態様において、構造変化は、異性体化、あるいは分析物構造部分の付加または除去である。１つの態様において、修飾は、分析物の誘導体化、すなわち分析物への化学側鎖の付加である。さらなる態様において、修飾は、非主鎖共有結合の切断、１つの態様において加水分解、特に、例えばポリペプチドにおける側鎖修飾の除去である。１つの態様において、非主鎖共有結合を切断する、１つの態様において加水分解する、さらなる工程は、前記捕捉剤に結合した前記分析物内および／または前記捕捉剤内の少なくとも１つの共有結合を切断する工程の前に行われる。さらなる態様において、非主鎖共有結合を加水分解する少なくとも１つのさらなる工程は、前記分析物を前記捕捉剤に結合させる間に行われる。したがって、１つの態様において、非主鎖共有結合を加水分解する少なくとも１つのさらなる工程は、捕捉複合体上で行われる。１つの態様において、非主鎖共有結合を加水分解する少なくとも１つのさらなる工程は、前記捕捉剤に結合した前記分析物の脱グリコシル化工程、１つの態様において酵素的脱グリコシル化を含む。
【００３８】
さらなる態様において、非主鎖共有結合を加水分解する少なくとも１つのさらなる工程は、ヒドロラーゼ（ＥＣ３）、さらなる態様においてグリコシラーゼ（ＥＣ３．２）、さらなる態様においてグリコシダーゼ（ＥＣ３．２．１）、さらなる態様においてエクソ−アルファ−シアリダーゼ（ＥＣ３．２．１．１８）、エンド−アルファ−シアリダーゼ（ＥＣ３．２．１．１２９）、アルファ−ガラクトシダーゼ（ＥＣ３．２．１．２２）、ベータ−ガラクトシダーゼ（ＥＣ３．２．１．２３）、アルファ−マンノシダーゼ（ＥＣ３．２．１．２４）、マンノシル−オリゴ糖１，２−アルファ−マンノシダーゼ（ＥＣ３．２．１．１１３）、マンノシル−オリゴ糖１，３−１，６−アルファ−マンノシダーゼ（ＥＣ３．２．１．１１４）、ベータ−マンノシダーゼ（ＥＣ３．２．１．２５）、アルファ−Ｎ−アセチルガラクトサミニダーゼ（ＥＣ３．２．１．４９）、ベータ−Ｎ−アセチルガラクトサミニダーゼ（ＥＣ３．２．１．５３）、アルファ−Ｌ−フコシダーゼ（ＥＣ３．２．１．５１）、１，２−アルファ−Ｌ−フコシダーゼ（ＥＣ３．２．１．６３）、１，３−アルファ−Ｌ−フコシダーゼ（ＥＣ３．２．１．１１１）、１，６−アルファ−Ｌ−フコシダーゼ（ＥＣ３．２．１．１２７）、ベータ−Ｌ−Ｎ−アセチルヘキソサミニダーゼ（ＥＣ３．２．１．５２）、エンド−アルファ−シアリダーゼ（ＥＣ３．２．１．１２９）および／またはマンノシル−糖タンパク質エンド−ベータ−Ｎ−アセチルグルコサミダーゼ（ＥＣ３．２．１．９６）、さらなる態様においてエンドグリコシダーゼエンドＦ３（例えばエリザベスキンギア・ミリコラ（Ｅｌｉｚａｂｅｔｈｋｉｎｇｉａ  ｍｉｒｉｃｏｌａ）由来のエンド−ベータ−Ｎ−アセチルグルコサミニダーゼＦ３）または例えばＧｌｙｃＩＮＡＴＯＲ（登録商標）として販売されているストレプトコッカス・ピオゲネス（Ｓｔｒｅｐｔｏｃｏｃｃｕｓ  ｐｙｏｇｅｎｅｓ）由来のエンドＳ２と、前記分析物を接触させるさらなる工程を含む。さらなる態様において、非主鎖共有結合を加水分解する少なくとも１つのさらなる工程は、エンドグリコシダーゼ、エンドＦ３と前記分析物を接触させるさらなる工程を含む。
【００３９】
さらなる態様において、非主鎖共有結合を加水分解する少なくとも１つのさらなる工程は、ペプチド結合以外の炭素−窒素結合に作用する酵素（ＥＣ３．５）、さらなる態様において直鎖アミドに作用する酵素（ＥＣ３．５．１）、さらなる態様においてペプチド−Ｎ４−（Ｎ−アセチル−ベータ−グルコサミニル）アスパラギンアミダーゼ、さらなる態様においてエンドグリコシダーゼＰＮＧアーゼＦ（例えばフラボバクテリウム・メニンゴセプティクム（Ｆｌａｖｏｂａｃｔｅｒｉｕｍ  ｍｅｎｉｎｇｏｓｅｐｔｉｃｕｍ）由来のペプチド−Ｎ−グリコシダーゼＦ）と、前記分析物を接触させるさらなる工程を含む。さらなる態様において、非主鎖共有結合を加水分解する少なくとも１つのさらなる工程は、エンドグリコシダーゼＰＮＧアーゼＦと、前記分析物を接触させるさらなる工程を含む。当業者は、例えば本明細書において上に明記するようなヒドロラーゼの存在下で、分析物をインキュベーションし、そして所望の修飾が起こっているかどうかを試験することによって、分析物を修飾するために適した適切なヒドロラーゼおよび適切な加水分解条件を選択することが可能である。当業者はまた、例えば文献から、パッケージリーフレットから、または適切な条件を実験的に決定することによって、適切な反応条件を選択することも可能である。
【００４０】
当業者に理解されるであろうように、非主鎖共有結合を加水分解する１より多い前述の酵素と、特に、非主鎖共有結合を加水分解する少なくとも２つ、少なくとも３つ、または少なくとも４つの酵素と、分析物を接触させてもよい。１つの態様において、非主鎖共有結合を加水分解する１より多い酵素と分析物の接触を、連続して実行し；さらなる態様において、非主鎖共有結合を加水分解する１より多い酵素と分析物の接触を、同時に、すなわち非主鎖共有結合を加水分解する少なくとも２またはそれより多い前記酵素と分析物を同時に接触させることによって、実行する。当業者は、こうした場合、加水分解条件をどのように選択するかを知っている。しかし、当業者は、例えば、反応温度、ｐＨ、補因子、またはイオンに関する必要条件が異なるため、前記酵素のすべての組み合わせが適合可能であるわけではないことを知っており、そして不適合の場合、連続処理を考慮するであろう。
【００４１】
好適なことに、本発明の根底にある研究において、捕捉複合体中の分析物から、分析物の断片を得ることが可能であることが見出され、当該技術分野で用いられる厳しい溶出条件を適用する必要を伴わずに、試料中の分析物の同一性および／または量に関する指標を得る可能性が提供された。得られた溶出物を、例えば、ＬＣ、特にＨＰＬＣの試料として直接用いてもよい。さらに、ポリペプチドの脱グリコシル化は、前記ポリペプチドが固体表面に付着している間、より効率的でありうることが見出された。
【００４２】
上で行った定義は、変更すべき点を変更して以下に適用される。さらに以下で行われるさらなる定義および説明もまた、変更すべき点を変更して、本明細書に記載されるすべての態様に適用される。
【００４３】
さらに本発明は、ｉ）分析物に結合する、１つの態様において特異的に結合する、捕捉剤；およびｉｉ）前記分析物内および／または前記捕捉剤内の少なくとも１つの共有結合を切断する剤を含む、キットに関する。
【００４４】
用語「キット」は、本明細書において、一緒にパッケージングされていてもまたはされていなくてもよい、本発明の前述の化合物、手段または試薬のコレクションを指す。キットの構成要素は、別個のバイアルによって（すなわち別個の部分のキットとして）含まれてもよく、あるいは２またはそれより多い構成要素が単一バイアル中で提供されてもよい。１つの態様において、捕捉剤、および少なくとも１つの共有結合を切断する剤は、別個のバイアルに含まれる。さらに、本発明のキットが、１つの態様において、本明細書において上に言及する方法を実施するために用いられるべきであることが理解されるものとする。１つの態様において、すべての構成要素が、上に言及する方法を実施するためのすぐに使用できる方式で提供されることが想定される。さらに、キットは、１つの態様において、前記方法を実行するための使用説明書を含有する。使用説明書は、紙または電子型の使用者マニュアルによって提供されてもよい。さらに、マニュアルは、本発明のキットを用いて前述の方法を実施した際に得られる結果を解釈するための使用説明書を含んでもよい。１つの態様において、キットは、緩衝剤、特に固体支持体から分析物またはその断片を溶出するための溶出緩衝剤をさらに含む。１つの態様において、キットは、例えばビーズまたはマトリックス充填ピペットチップの形の、固体支持体をさらに含む。固体表面のさらなる態様を本明細書において上述する。１つの態様において、キットは、分析物を修飾するさらなる剤、１つの態様において前記分析物の少なくとも１つの非主鎖共有結合を切断する剤、特に酵素、例えばグリコシダーゼ、１つの態様において本明細書において上に明記するようなグリコシダーゼをさらに含む。１つの態様において、少なくとも１つの非主鎖共有結合を切断する剤はグリコシダーゼであり、１つの態様においてエンドグリコシダーゼであり、さらなる態様においてエンドＦ３である。
【００４５】
当業者は、ターゲットに結合する、特異的結合剤、例えば抗体、特にモノクローナル抗体を生成するか；あるいは捕捉しようとする関心対象の抗原に特異的な、当該技術分野に知られる結合剤、例えば商業的に入手可能な抗体を選択することが可能である。捕捉化合物の適切な態様は、本明細書に上述されてきている。したがって、１つの態様において、捕捉化合物は抗体またはその断片である。前記分析物内および／または前記捕捉剤内の少なくとも１つの共有結合を切断する剤の適切な態様もまた、本明細書に上述されてきている。したがって、１つの態様において、前記分析物内および／または前記捕捉剤内の少なくとも１つの共有結合を切断する剤は、プロテアーゼであり、１つの態様においてエンドペプチダーゼであり、さらなる態様においてトリプシンである。
【００４６】
本発明は、前記分析物を検出するため、分析物の断片を放出させるための酵素の使用であって、前記分析物が捕捉剤を通じて固体表面に結合している、前記使用にさらに関する。
【００４７】
１つの態様において、使用は、本明細書において上に明記するような分析物を検出するための方法の使用である。１つの態様において、前記酵素はヒドロラーゼであり、さらなる態様において、酵素は、本明細書において上に明記するようなプロテアーゼおよび／またはグリコシダーゼである。
【００４８】
本発明はまた、疾患を診断するための方法であって、上に明記するような分析物を検出するための方法の工程、および決定した分析物の量を参照に比較し、それによって疾患を診断するさらなる工程を含む、前記方法にも関する。
【００４９】
本発明の疾患を診断するための方法は、１つの態様において、ｉｎ  ｖｉｔｒｏ法である。さらに、該方法は、明確に上述するものに加えた工程を含んでもよい。例えば、さらなる工程は、例えば、工程ａ）の被験体から試料を得るか、または工程ｂ）の後に、分析物の少なくとも１つの断片を構造的に修飾する、例えば誘導体化することに関してもよい。さらに、前記工程の１またはそれより多くを、自動化装置によって実行してもよい。
【００５０】
本発明の疾患を診断するための方法は、原則として、任意の疾患の診断に適用可能であり、ここで、少なくとも１つの分析物が、前記疾患を患っていない被験体における前記分析物の濃度から逸脱する濃度で、被験体試料中に存在し、そして前記分析物が捕捉剤に結合する。したがって、１つの態様において、分析物は、本明細書において上に明記するような生物学的巨大分子である。１つの態様において、分析物はポリペプチドである。さらなる態様において、分析物はＰＳＡであり、そして前記疾患は前立腺癌である。
【００５１】
用語「診断」は、本明細書において、被験体が疾患または状態に罹患しているかあるいは疾患または状態を発症させるリスクがある可能性の評価を指す。したがって、方法は、例えば、医師によって、診断をさらに強化するかまたは確認することが必要でありうるため、前記診断の補助を提供する。特に、当業者に理解されるであろうように、こうした評価は通常、そうであることが好ましくはあるが被験体の１００％が正しく診断されるようには意図されない。該用語は、１つの態様において、被験体の統計的に有意な部分が、疾患に罹患しているかまたはそれに関する素因を有すると同定されうることを必要とする。部分が統計的に有意であるかどうかは、さらなる面倒を伴わずに、多様な周知の統計評価ツール、例えば信頼区間の決定、ｐ値決定、スチューデントのｔ検定、マン−ホイットニー検定等を用いて、当業者によって決定可能である。詳細は、ＤｏｗｄｙおよびＷｅａｒｄｅｎ，  Ｓｔａｔｉｓｔｉｃｓ  ｆｏｒ  Ｒｅｓｅａｒｃｈ，  Ｊｏｈｎ  Ｗｉｌｅｙ  ＆  Ｓｏｎｓ，  Ｎｅｗ  Ｙｏｒｋ  １９８３に見出される。好ましい信頼区間は、少なくとも５０％、少なくとも６０％、少なくとも７０％、少なくとも８０％、少なくとも９０％、少なくとも９５％である。ｐ値は、１つの態様において、０．２、０．１、０．０５である。さらに、本発明の方法は、本質的に、診断の補助を提供し、そして他の診断手段に含まれるかまたはこれらによって補助されることも可能であることが理解されるであろう。本発明にしたがった診断には、適切な疾患またはその症状の監視、確証、および分類が含まれる。監視は、すでに診断された疾患または合併症の追跡を維持し、例えば疾患期間中、または疾患の成功した治療後に生じる、疾患の進行または退行、疾患または合併症の進行に対する特定の治療の影響を分析することに関する。確証は、他の指標またはマーカーを用いてすでに確立された診断を強化するかまたは実証することに関する。分類は、症状の強度または種類にしたがって、診断を、異なるクラス、例えば前立腺癌の病期に割り当てることに関する。本明細書で用いるようなリスクがあることは、被験体が、疾患または状態をまだ発展させていないが、にもかかわらず、特定の可能性で将来的に発展させるであろうことを意味する。素因の診断は、ときに、被験体が疾患を発展させるであろう可能性の予測と称されることも可能である。
【００５２】
用語「参照」は、疾患または状態の存在または非存在に相関させうる、分析物の量またはそれを表す数値、すなわち特徴的な特徴のデータを指す。こうした参照は、１つの態様において、診断しようとする疾患を患うことが知られる被験体または被験体群の試料から得られる。参照は、例えば、こうした試料群から得られる代表値（ａｖｅｒａｇｅ）または平均値（ｍｅａｎ）であってもよい。参照は、本発明の方法を適用することによって得られうる。あるいは、参照は、診断しようとする疾患を患わないことが知られる被験体または被験体群の試料から得られうる。さらに、参照は、見かけ上、健康である個体の代表的な集団の分析物の相対量または絶対量に関する、計算参照値、例えば代表値または中央値であってもよい。本発明にしたがって、集団の前記個体の分析物の絶対量または相対量を決定してもよい。適切な参照値、１つの態様において代表値または中央値を計算する方法は、当該技術分野に周知である。前述の被験体集団は、複数の被験体、１つの態様において、少なくとも５、１０、５０、１００、１，０００または１０，０００の被験体を含むものとする。本発明の方法によって診断しようとする被験体、および前記の複数の被験体の被験体は、１つの態様において同じ種であることが理解されるものとする。当業者は、カットオフ値、正常値の上限、中央値または代表値、参照範囲等であってもよい、参照値を確立する方法を知っている。
【００５３】
上記を考慮して、以下の態様を特に想定する：
１．  分析物を検出するための方法であって
ａ）前記分析物、捕捉剤および固体表面を接触させて、固体表面に付着した捕捉複合体を形成し、
ｂ）前記捕捉複合体中に含まれる前記分析物内および／または前記捕捉剤内の少なくとも１つの共有結合を切断し、そしてそれによって、前記分析物またはその断片を前記捕捉複合体から放出させ、そして
ｃ）前記分析物またはその断片を検出し、そしてそれによって前記分析物を検出する
工程を含む、前記方法。
【００５４】
２．  前記分析物が巨大分子、１つの態様において生物学的巨大分子である、態様１の方法。
３．  前記分析物がポリヌクレオチドまたはポリペプチドであり、１つの態様においてポリペプチドである、態様１または２の方法。
【００５５】
４．  前記分析物がＰＳＡである、態様１〜３のいずれか１つの方法。
５．  前記分析物が試料中、１つの態様において被験体の試料中に含まれる、態様１〜４のいずれか１つの方法。
【００５６】
６．  前記試料が血液試料またはその分画であり、１つの態様において血液、血清または血漿であり、１つの態様において血清または血漿である、態様１〜５のいずれか１つの方法。
【００５７】
７．  前記捕捉剤が、前記分析物に特異的に結合する剤である、態様１〜６のいずれか１つの方法。
８．  前記捕捉剤が巨大分子であり、１つの態様において生物学的巨大分子であり、さらなる態様において抗体またはその誘導体であり、さらなる態様において抗体またはその誘導体である、態様１〜７のいずれか１つの方法。
【００５８】
９．  前記捕捉剤が前記分析物と接触すると同時に、前記捕捉剤が固体表面に付着する、態様１〜８のいずれか１つの方法。
１０．  前記捕捉剤が、共有および／または疎水性結合を通じて、固体表面上に固定される、態様１〜９のいずれか１つの方法。
【００５９】
１１．  前記捕捉剤が、高アフィニティ相互作用を通じて、１つの態様においてストレプトアビジン／ビオチン相互作用を通じて、固体表面上に固定される、態様１〜１０のいずれか１つの方法。
【００６０】
１２．  少なくとも１つの共有結合の前記切断が、前記分析物内の少なくとも１つの共有結合の加水分解、１つの態様において酵素的加水分解を含む、態様１〜１１のいずれか１つの方法。
【００６１】
１３．  前記分析物内の少なくとも１つの共有結合の切断が、少なくとも１つの主鎖共有結合の切断であるか、または少なくとも１つの非主鎖共有結合の切断である、態様１〜１２のいずれか１つの方法。
【００６２】
１４．  前記分析物がポリペプチドであり、そして前記分析物内の少なくとも１つの共有結合の切断が、前記分析物内の少なくとも１つのペプチド結合の加水分解、１つの態様において酵素的加水分解を含む、態様１〜１３のいずれか１つの方法。
【００６３】
１５．  前記分析物内の少なくとも１つの共有結合の前記切断が、少なくとも１つのプロテアーゼ、１つの態様においてエンドペプチドダーゼ、さらなる態様においてトリプシンと、前記分析物を接触させることを含む、態様１〜１４のいずれか１つの方法。
【００６４】
１６．  前記分析物の前記の少なくとも１つの断片が、前記分析物の特定の断片である、態様１〜１５のいずれか１つの方法。
１７．  前記分析物を修飾するさらなる工程を含む、態様１〜１６のいずれか１つの方法。
【００６５】
１８．  前記分析物またはその断片を誘導体化する少なくとも１つのさらなる工程を含む、態様１〜１７のいずれか１つの方法。
１９．  非主鎖共有結合を加水分解する少なくとも１つの工程、１つの態様において非主鎖共有結合を加水分解する少なくとも１つのさらなる工程を含む、態様１〜１８のいずれか１つの方法。
【００６６】
２０．  非主鎖共有結合を加水分解する前記の少なくとも１つのさらなる工程を、前記捕捉剤に結合した前記分析物内および／または前記捕捉剤内の少なくとも１つの主鎖共有結合を切断する工程の前に実行する、態様１〜１９のいずれか１つの方法。
【００６７】
２１．  非主鎖共有結合を加水分解する前記の少なくとも１つの工程またはさらなる工程を、前記分析物が前記捕捉剤に結合している間に実行する、態様１〜２０のいずれか１つの方法。
【００６８】
２２．  前記捕捉剤に結合した前記分析物の脱グリコシル化、１つの態様において酵素的脱グリコシル化の少なくとも１つの工程を含み；さらなる態様において、前記捕捉剤に結合した前記分析物の脱グリコシル化、１つの態様において酵素的脱グリコシル化の少なくとも１つのさらなる工程を含む、態様１〜２１のいずれか１つの方法。
【００６９】
２３．  エンドグリコシダーゼ、１つの態様においてエンドＦ３と、前記分析物を接触させる工程を含み；さらなる態様において、エンドグリコシダーゼ、１つの態様においてエンドＦ３と、前記分析物を接触させるさらなる工程を含む、態様１〜２２のいずれか１つの方法。
【００７０】
２４．  前記検出が、さらなる化合物から、前記分析物の前記の少なくとも１つの断片を、１つの態様においてクロマトグラフィによって、さらなる態様において液体クロマトグラフィ（ＬＣ）によって、分離することを含む、態様１〜２３のいずれか１つの方法。
【００７１】
２５．  前記検出が、質量分析（ＭＳ）、１つの態様においてＬＣカップリング質量分析（ＬＣ−ＭＳ）によって、前記分析物またはその断片を検出することを含む、態様１〜２４のいずれか１つの方法。
【００７２】
２６．  前記検出が、多重反応監視（ＭＲＭ）−ＭＳ、１つの態様においてＭＲＭ−ＬＣ−ＭＳによって、前記分析物またはその断片を検出することを含む、態様１〜２５のいずれか１つの方法。
【００７３】
２７．  ｉ）分析物に結合する、１つの態様において特異的に結合する、捕捉剤；およびｉｉ）前記分析物内および／または前記捕捉剤内の少なくとも１つの共有結合を切断する剤を含む、キット。
【００７４】
２８．  前記捕捉剤が、分析物特異的アフィニティに基づく結合剤であり、１つの態様において、抗体、特にポリクローナルまたはモノクローナル抗体、アプタマー、および受容体からなるリストより選択される、態様２７のキット。
【００７５】
２９．  前記捕捉剤が抗体またはその断片である、態様２７または２８のキット。
３０．  前記分析物内および／または前記捕捉剤内の少なくとも１つの共有結合を切断する前記剤がプロテアーゼであり、１つの態様においてエンドペプチダーゼであり、さらなる態様においてトリプシンである、態様２７〜２９のいずれか１つのキット。
【００７６】
３１．  少なくとも１つの固体支持体をさらに含む、態様２７〜３０のいずれか１つのキット。
３２．  前記分析物の少なくとも１つの非主鎖共有結合を切断する剤、１つの態様においてグリコシダーゼ、１つの態様においてエンドグリコシダーゼ、さらなる態様においてエンドＦ３をさらに含む、態様２７〜３１のいずれか１つのキット。
【００７７】
３３．  前記分析物内および／または前記捕捉剤内の少なくとも１つの共有結合を切断する前記剤が、少なくとも１つの非主鎖共有結合を切断する剤であり、１つの態様においてグリコシダーゼであり、さらなる態様においてエンドグリコシダーゼであり、さらなる態様においてエンドＦ３である、態様２７〜３２のいずれか１つのキット。
【００７８】
３４．  前記分析物を検出するため、分析物の断片を放出させるための酵素の使用であって、前記分析物が捕捉剤を通じて固体表面に結合している、前記使用。
３５．  態様１〜２６のいずれか１つの方法の使用である、態様３４の使用。
【００７９】
３６．  態様１〜２６のいずれか１つの工程、および決定した分析物の量を参照に比較し、それによって疾患を診断するさらなる工程を含む、疾患を診断するための方法。
３７．  前記分析物がＰＳＡであり、そして前記疾患が前立腺癌である、態様３６の方法。
【００８０】
本明細書に引用するすべての参考文献は、その全開示内容および本明細書に特に言及する開示内容に関して、本明細書に援用される。
【実施例】
【００８１】
実施例１：材料
１．１  免疫濃縮
リン酸緩衝生理食塩水（ＰＢＳ、カタログ番号Ｐ４４１７）はＳｉｇｍａからであった。Ｒｏｃｈｅ総ＰＳＡ  Ｅｌｅｃｓｙｓ試験／アッセイ（Ｒｏｃｈｅ注文番号０４６４１６５５１９０）の試薬１（Ｒ１）の構成要素として商業的に入手可能でもある、ビオチン化抗体断片ＭＡＫ＜ＰＳＡ＞Ｍ−３６−Ｆａｂ−Ｂｉモノを、例えばＥＺ−Ｌｉｎｋ（登録商標）スルホ−ＮＨＳ−ＬＣ−ビオチン化キット（Ｐｉｅｒｃｅ）に記載されるような標準法にしたがって、社内で製造した（ロットＢｇ０１ＭＰ）。ストレプトアビジン充填ピペットチップＭＳＩＡ  Ｄ．Ａ．Ｒ．Ｔ．’ｓ、ストレプトアビジン（カタログ番号９９１ＳＴＲ１１）、ＦｉｎｎｉｐｅｔｔｅＴＭ  Ｎｏｖｕｓ  ｉマルチチャネル電子およびピペットホルダー（カタログ番号９９１ＳＰ１２）は、ＴｈｅｒｍｏＳｃｉｅｎｔｉｆｉｃからであった。ＰＳＡ  ＣａｌＳｅｔＩＩ（参照０４４８５２２０１９０、ロット１８０  ６２２−０２）はＲｏｃｈｅからであった。Ｄｅｅｐｗｅｌｌプレート９６／５００μＬ  Ｐｒｏｔｅｉｎ  ＬｏＢｉｎｄ（カタログ番号０５１−３２１−７）はＥｐｐｅｎｄｏｒｆからであった。
【００８２】
１．２  エンド−脱グリコシル化および消化
トリフルオロ酢酸ＵＬＣ／ＭＳ（ＴＦＡ、カタログ番号００２０２３４１３１ＢＳ、ロット１０４８６１１）氷酢酸（Ｃａｓ．６４−１９−７、ロット７０４６８１）はＢｉｏｓｏｌｖｅからであった。酢酸ナトリウム（カタログ番号１．０６２６８．１０００、ロットＡ０１９５７６８１１９）はＭｅｒｃｋからであり、重炭酸アンモニウム（ＡＢＣ、Ｃａｓ．１０６６−３３−７、ロット０９０２８０１００４）はＪ．Ｔ．  Ｂａｋｅｒからであり、トリプシン（カタログ番号Ｔ６５６７、ロットＳＬＢＨ０６２９Ｖ）はＳｉｇｍａから得られ、そしてエンドＦ３（カタログ番号Ｅ−ＥＦ０３、ロット９０２．１Ａ）はＱＡ−Ｂｉｏからであった。３７℃でのインキュベーションを、ＥｐｐｅｎｄｏｒｆのＴｈｅｒｍｏｍｉｘｅｒ  Ｃで実行するか、またはＨｅｒａｅｕｓ  ｉｎｓｔｒｕｍｅｎｔｓのインキュベーターＢ型６０３０を用いた。試料を、Ｅｐｐｅｎｄｏｒｆの濃縮装置５３０１中で乾燥させた。
【００８３】
１．３  ＬＣ−ＭＳ
アセトニトリルＵＬＣ／ＭＳ（ＡＣＮ、Ｃａｓ．７５−０５−８、ロット１０７６１２１）およびギ酸９９％  ＵＬＣ／ＭＳ（カタログ番号０００６９１４１４３ＢＳ、ロット１０６１５６１）はＢｉｏｓｏｌｖｅからであった。クロマトグラフィ系は、バイナリ―ポンプ（Ｇ４２２０Ａ）、カラムオーブン（Ｇ１３１６Ｃ）、オートサンプラー（Ｇ４２２６Ａ）およびサーモスタット（Ｇ１３３０Ｂ）を含む、ＡｇｉｌｅｎｔのＩｎｆｉｎｉｔｙ  １２９０  ＨＰＬＣであった。ＷａｔｅｒｓのＸｂｒｉｄｇｅアミドカラム（１３０Ａ、３．５μｍ、２．１ｘ１００ｍｍ、部品番号１８６００４８６０、シリアル番号０１２５３５２６４１７９０９、ロット０１２５３５２６４１）を用いて、ＬＣ分離を実行した。ＭＳは、ＡＢ  ＳｃｉｅｘのＴｕｒｂｏ  ＶＴＭイオン供給源を含むＱＴＲＡＰ６５００であった。
【００８４】
実施例２：方法
２．１  試料、緩衝剤、および溶液の調製：
Ｍｉｌｌｉ−Ｑ  ｐｌｕｓデバイス中で純水から水を精製した。検量用試料セットの凍結乾燥ＰＳＡを１０００μｌ  Ｈ２Ｏに溶解し、およそ６０ｎｇ／ｍｌのＰＳＡ濃度を含む血清溶液を生成した。ＰＢＳ錠剤を２００ｍｌ  Ｈ２Ｏに溶解することによって、１０ｍＭ  ＰＢＳを作製した。４９９５μｌの１０ｍＭ  ＰＢＳ緩衝剤を、５μｌ  Ｔｗｅｅｎ  ２０と混合した。６μｌ  ＭＡＫ＜ＰＳＡ＞Ｍ−３６−Ｆａｂ−Ｂｉモノ（５．５４ｍｇ／ｍｌ）を３３１６μｌ  １０ｍＭ  ＰＢＳ緩衝剤で希釈することによって、０．０１μｇ／μｌ  ＭＡＫ＜ＰＳＡ＞Ｍ−３６溶液を作製した。３９３ｍｇ  ＡＢＣを５０ｍｌ  Ｈ２Ｏ中に溶解することによって、１００ｍＭ  ＡＢＣ緩衝剤（ｐＨ７．８）を作製した。４０９ｍｇ酢酸ナトリウムを３０ｍｌ  Ｈ２Ｏに溶解し、氷酢酸でｐＨ４．５に調整し、そして  Ｈ２Ｏで５０ｍｌまで満たして、１００ｍＭ酢酸ナトリウム緩衝剤（ｐＨ４．５）を生成した。２０μｇの凍結乾燥トリプシンを１００μｌの１００ｍＭ  ＡＢＣ−緩衝剤に溶解した。０．２μｇ／μｌおよび０．１μｇ／μｌトリプシン溶液が得られるように、こうして生成した３０μｌのトリプシン溶液を３０μｌの１００ｍＭ  ＡＢＣ緩衝剤で希釈した。１ｍｌギ酸を１０００ｍｌ  Ｈ２Ｏに添加することによって、溶出剤Ａを産生した。１ｍｌギ酸を１０００ｍｌ  ＡＣＮに添加することによって、溶出剤Ｂを産生した。４０ｍｌ  ＡＣＮ、６０ｍｌ  Ｈ２Ｏおよび４００μｌ  ＴＦＡを混合することによって、溶出緩衝剤を調製した。
【００８５】
２．２  試料処理
２．２．１  免疫濃縮
Ｄｅｅｐｗｅｌｌプレート９６中に、表１の２〜３列に示す体積を、工程１〜６のためにピペッティングした。その後、表１の４列に示す体積を、自動的に、ストレプトアビジン充填ピペットチップで上下にピペッティングした。ピペッティングを、表１の５列に示す回数、反復した。
【００８６】
表１：免疫濃縮
【００８７】
【表１】
2020504311.tif 000002
【００８８】
２．２．２  エンド脱グリコシル化および消化
２．２．１にしたがった免疫濃縮（捕捉複合体形成）後、エンド脱グリコシル化、その後、酵素的タンパク質分解を、以下のように、ストレプトアビジン充填ピペットチップ中で直接、または溶液中で、実行した：
溶液中での酵素処理
１０μｌの放出緩衝剤を２０回、手動で上下にピペッティングすることによって、２５μｌ溶出緩衝剤を用いて、ストレプトアビジン充填ピペットチップから分析物を溶出させた。この後、２０μｌの１００ｍＭ  ＡＢＣ緩衝剤（ｐＨ７．８）、その後、２μｌエンドＦ３（５単位／ｍｌ）を添加し、そして１０００ｒｐｍ、３７℃で２１時間、撹拌した。その後、４０μｌの１００ｍＭ  ＡＢＣ緩衝剤（ｐＨ７．８）および５μｌトリプシン（０．２μｇ／μｌ）を添加し、そして１０００ｒｐｍ、３７℃で２１時間、撹拌した。その後、試料を真空中で完全に乾燥させた（４５℃、２時間）。乾燥した残渣を、４０％溶出剤Ａ（ｖ／ｖ）を含む２５μｌ溶出剤Ｂ中に溶解し、そしてマイクロインサートを含むガラスバイアル中にトランスファーした。この処理の結果の分析の代表例を図１に示す；ＰＳＡと診断される、およそ５．８０分の溶出時間を持つ断片のみが検出された。
【００８９】
ピペットチップ上での直接の酵素処理
０．５ｍｌ  Ｌｏ−Ｂｉｎｄチューブ内に、８μｌの１００ｍＭ酢酸ナトリウム（ｐＨ４．５）および２μｌエンドＦ３（５単位／ｍｌ）をピペッティングした。生じた溶液を、手動でそして完全に、ストレプトアビジン充填ピペットチップ内に引き入れた。ピペットチップをＬｏ−Ｂｉｎｄチューブ中に立てたままにし、そしてインキュベーター中、３７℃で２１時間インキュベーションした。その後、緩衝剤１７５μｌを２０回上下に自動的にピペッティングすることによって、ピペットチップを２００μｌの１００ｍＭ  ＡＢＣ緩衝剤（ｐＨ７．８）で洗浄した。その後、１０μｌトリプシン（０．１μｇ／μｌ）を、マイクロインサートを含むガラスバイアル内にピペッティングし、そしてピペットチップ内に手動でそして完全に引き入れた。ピペットチップをガラスバイアル中に立てたままにし、そしてインキュベーター中、３７℃で２１時間インキュベーションした。その後、ピペットチップの内容物を、完全にマイクロインサート内にトランスファーし、そして溶液１０μｌを２０回上下に手動でピペッティングすることによって、ピペットチップを、１０％溶出剤Ａを含む２０μｌの溶出剤Ｂで洗浄した。洗浄溶液をマイクロインサートの内容物と合わせた。この処理の結果の分析の代表例を図２に示す；どちらもＰＳＡと診断される、およそ５．８０分の溶出時間を持つ断片、およびおよそ８．１５分の溶出時間を持つさらなる断片が検出された。
【００９０】
実施例３：ＬＣ−ＭＳ
３．１  ＨＰＬＣ条件
流速は０．３ｍｌ／分であり、そして勾配開始時の溶出液Ａの比率は１０％であり；１０分以内に、溶出剤Ａの比率を５０％に増加させた。さらに０．１分後、溶出剤Ａの比率を７０％に増加させ、そして３．９分間維持した。その後、溶出剤Ａの比率を０．１分以内に１０％に減少させ、そしてさらに５．９分間維持した。注入体積は２０μｌであり、そしてカラムオーブン温度は５０℃であった。
【００９１】
３．２  ＭＳ条件
製造者の指示にしたがって、ＡＢ  Ｓｃｉｅｘのポリプロピレングリコール、ＥＳ調整混合物および調整混合物溶媒を用いて、ＭＳデバイスを調整し、そして較正した。Ｑ１およびＱ３の解像度を、１０Ｄａ／ｓのスキャンスピードで、最大半量の０．７±０．１ａｍｕピーク半値全幅に調整した。陽イオン化モードで、測定を実行した。供給源パラメータを表２に要約し、そして分析物特異的パラメータを表３に要約する。ＭＲＭ遷移間の待ち時間は５ｍｓであった。
【００９２】
表２：供給源パラメータ
【００９３】
【表２】
2020504311.tif 000003
【００９４】
表３：分析物特異的パラメータ
【００９５】
【表３】
2020504311.tif 000004
【００９６】
実施例４：データ獲得および分析
ＡＢ  ＳｃｉｅｘのＡｎａｌｙｓｔソフトウェア１．６．２を用い、３の幅スムージング係数を用いて、装置制御、データ獲得およびプロセシング、ならびに分析を実行した。ＩｎｔｅｌｌｉＱｕａｎ積分アルゴリズムで、ピーク積分を自動的に実行した。
【図１−１】
2020504311.tif 000005
【図１−２】
2020504311.tif 000006
【図２−１】
2020504311.tif 000007
【図２−２】
2020504311.tif 000008
【配列表】
2020504311000001.app
【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
分析物を検出するための方法であって
ａ）前記分析物、捕捉剤および固体表面を接触させて、固体表面に付着した捕捉複合体を形成し、
ｂ）前記捕捉複合体中に含まれる前記分析物内および／または前記捕捉剤内の少なくとも１つの共有結合を切断し、そしてそれによって、前記分析物またはその断片を前記捕捉複合体から放出させ、そして
ｃ）前記分析物またはその断片を検出し、そしてそれによって前記分析物を検出する
工程を含み、
前記捕捉剤が前記分析物と接触すると同時に、前記捕捉剤が前記固体表面に付着し、そして
前記方法が、前記捕捉剤に結合する前記分析物の脱グリコシル化の少なくとも１つのさらなる工程を含む、
前記方法。
【請求項２】
前記分析物がポリペプチドである、請求項１の方法。
【請求項３】
前記分析物が前立腺特異的抗原（ＰＳＡ）である、請求項１または２の方法。
【請求項４】
前記分析物が被験体の試料中に含まれる、請求項１〜３のいずれか一項の方法。
【請求項５】
前記捕捉剤が、前記分析物に特異的に結合する剤である、請求項１〜４のいずれか一項の方法。
【請求項６】
前記捕捉剤が抗体またはその誘導体である、請求項１〜５のいずれか一項の方法。
【請求項７】
少なくとも１つの共有結合の前記切断が、前記分析物内の少なくとも１つの共有結合の酵素的加水分解を含む、請求項１〜６のいずれか一項の方法。
【請求項８】
前記分析物内の少なくとも１つの共有結合の前記切断が、前記分析物を、少なくとも１つのプロテアーゼと接触させることを含む、請求項１〜７のいずれか一項の方法。
【請求項９】
前記分析物内の少なくとも１つの共有結合の前記切断が、前記分析物をトリプシンと接触させることを含む、請求項１〜８のいずれか一項の方法。
【請求項１０】
前記分析物の脱グリコシル化の前記の少なくとも１つのさらなる工程が、前記分析物を、エンドグリコシダーゼと接触させることを含む、請求項１〜９のいずれか一項の方法。
【請求項１１】
前記分析物の脱グリコシル化の前記の少なくとも１つのさらなる工程が、前記分析物をエンドＦ３と接触させることを含む、請求項１〜１０のいずれか一項の方法。
【請求項１２】
前記検出が、質量分析（ＭＳ）によって、前記分析物またはその断片を検出することを含む、請求項１〜１１のいずれか一項の方法。
【請求項１３】
前記検出が、液体クロマトグラフィ（ＬＣ）カップリング質量分析（ＬＣ−ＭＳ）によって、前記分析物またはその断片を検出することを含む、請求項１〜１２のいずれか一項の方法。
【請求項１４】
ｉ）分析物に結合する捕捉剤；およびｉｉ）前記分析物内および／または前記捕捉剤内の少なくとも１つの共有結合を切断する剤を含むキットであって、
前記分析物内および／または前記捕捉剤内の少なくとも１つの共有結合を切断する前記剤がプロテアーゼであり、そして
前記キットが、少なくとも１つのグリコシダーゼおよび少なくとも１つの固体支持体をさらに含む、
前記キット。
【請求項１５】
前記捕捉剤が抗体またはその断片である、請求項１４のキット。
【請求項１６】
前記分析物内および／または前記捕捉剤内の少なくとも１つの共有結合を切断する前記剤が、エンドペプチドダーゼである、請求項１４または１５のキット。
【請求項１７】
前記分析物内および／または前記捕捉剤内の少なくとも１つの共有結合を切断する前記剤が、トリプシンである、請求項１４〜１６のいずれか一項のキット。
【請求項１８】
少なくとも１つのエンドグリコシダーゼをさらに含む、請求項１４〜１７のいずれか一項のキット。
【請求項１９】
エンドＦ３をさらに含む、請求項１４〜１８のいずれか一項のキット。
【請求項２０】
分析物を検出するため、前記分析物の断片を放出させるためにプロテアーゼを用いる方法であって、前記分析物が捕捉剤を通じて固体表面に結合しており、そして前記分析物を、前記プロテアーゼと接触させる前に、エンドグリコシダーゼと接触させた、前記方法。
【請求項２１】
請求項１〜１３のいずれか一項の工程、および決定した分析物の量を参照と比較し、それによって疾患診断を補助するさらなる工程を含む、疾患診断を補助するための方法。
【請求項２２】
前記分析物がＰＳＡであり、そして前記疾患が前立腺癌である、請求項２１の方法。
【国際調査報告】
2020504311.tif 000009
2020504311.tif 000010